(57)【特許請求の範囲】
【請求項１】
二次電池を内蔵する電気かみそりと上記二次電池を充電するための充電器とからなり、充電器側の一次側コイルとの電磁誘導結合による電源供給を受けるための二次側コイルを電気かみそりが内蔵している充電式電気かみそりにおいて、上端に刃部を有する電気かみそりはその下端に上記二次側コイルが配され、上端に刃部の乾燥用の熱を発する発熱部を備えて充電器に上下逆の状態でもセット可能になっており、上記一次側コイルと上記二次側コイルとを対向させて充電器にセットする充電時に対して上下逆に充電器にセットした際に上記発熱部は充電器側の前記一次側コイルが発する電磁力を受けて熱を発するものであることを特徴とする充電式電気かみそり。
【請求項２】
発熱部は刃部における上記一次側コイルで発する磁束の通過で発熱する金属製外刃であることを特徴とする請求項１記載の充電式電気かみそり。
【請求項３】
電気かみそりは刃部に対して着脱自在な保護キャップを備えたものであるとともに、上記発熱部は刃部の保護用である上記保護キャップに設けられていることを特徴とする請求項１記載の充電式電気かみそり。
【請求項４】
保護キャップに設けた発熱部は第２の二次側コイルとこの第２の二次側コイルを介して上記一次側コイルから給電されることで発熱する発熱体とからなることを特徴とする請求項３記載の充電式電気かみそり。
【請求項５】
保護キャップは刃部に対面する内面側が上記一次側コイルで発する磁束の通過で発熱する金属磁性体で形成され、外面側が非磁性体で形成されていることを特徴とする請求項３記載の充電式電気かみそり。
【発明の詳細な説明】
【０００１】
【発明の属する技術分野】
本発明は充電式電気かみそり、殊に充電のための電源との接続を電磁誘導による非接触で行うようにしたものに関する。
【０００２】
【従来の技術】
充電式電気かみそりにおいて、充電のための電源供給を電磁誘導による非接触で行うものがある。これは石鹸を併用した髭剃りや水洗いを可能とするために防水構造としたものにおいて採用されている。充電器及び電気かみそりの双方において、相互接続のための電気的接点を外部に露出させずにすむために、防水性の確保や水分による短絡の防止が容易となるからである。
【０００３】
【発明が解決しようとする課題】
ところで電気かみそりでは髭屑や顔の脂分が刃に付着するが、これらはブラシなどによる清掃では除去が困難であり、また臭いも残りやすい。しかし水洗いが可能な電気かみそりでは、髭屑や脂分の除去を確実に行うことができ、電気かみそりを清潔に保つことが可能である。
【０００４】
しかし、水洗いをした後の電気かみそりは、その刃部分に多くの水滴が付着したままとなるが、従来は自然乾燥させていたために、乾燥までに時間がかかるものとなっていた。
本発明はこのような点に鑑み為されたものであり、その目的とするところは水洗い後の乾燥時間を短縮することができる充電式電気かみそりを提供するにある。
【０００５】
【課題を解決するための手段】
しかして本発明は、二次電池を内蔵する電気かみそりと上記二次電池を充電するための充電器とからなり、充電器側の一次側コイルとの電磁誘導結合による電源供給を受けるための二次側コイルを電気かみそりが内蔵している充電式電気かみそりにおいて、上端に刃部を有する電気かみそりはその下端に上記二次側コイルが配され、上端に刃部の乾燥用の熱を発する発熱部を備えて充電器に上下逆の状態でもセット可能になっており、上記一次側コイルと上記二次側コイルとを対向させて充電器にセットする充電時に対して上下逆に充電器にセットした際に上記発熱部は充電器側の前記一次側コイルが発する電磁力を受けて熱を発するものであることに特徴を有している。充電器から供給される電磁力を利用して刃部の乾燥を行うようにしたものであり、特に充電器に充電時と上下逆にセットすれば、充電器側の充電用の一次側コイルが発熱部に電磁力を供給して発熱部が発熱するようにしたものである。
【０００６】
ここにおける発熱部には刃部における上記一次側コイルで発する磁束の通過で発熱する金属製外刃そのものを使用することができるほか、電気かみそりが刃部に対して着脱自在な保護キャップを備えたものでは保護キャップに発熱部を設けてもよい。後者の場合、発熱部として第２の二次側コイルとこの第２の二次側コイルを介して上記一次側コイルから給電されることで発熱する発熱体とからなるものを用いることもでき、この時の発熱体には抵抗発熱線のほか、ペルチェ素子を用いることができる。
【０００７】
保護キャップは刃部に対面する内面側が上記一次側コイルで発する磁束の通過で発熱する金属磁性体で形成され、外面側が非磁性体で形成されたものであってもよい。
【０００９】
【発明の実施の形態】
本発明の実施の形態の一例について説明すると、図１に示すように、上端に刃部２を備えた電気かみそり１はその内部に二次電池１０とモータ１１、二次側コイル１２を内蔵するとともにスイッチ１３を備えたもので、二次側コイル１２は下端底部に配されている。一方、充電器３は発振回路３０に接続された一次側コイル３１を内蔵したもので、一次側コイル３１におけるコア３２の両端を上方に向けている。
【００１０】
電気かみそり１の二次電池１０の充電にあたっては、図１(a)に示すように電気かみそり１を充電器３の上に置いて、内蔵する二次側コイル１２と充電器３の一次側コイル３１とを近接させることで、両者間の電磁誘導結合により充電器３側から電気かみそり１に電力を伝達する。
そして刃部２を水洗いした時には、図１(b)に示すように、電気かみそり１を上下逆さまにして充電器３の上におくのである。刃部２における金属製外刃は、充電器３の一次側コイル３１が発する磁束が通過するために渦電流が発生して発熱する。刃部２は自身が発する熱によって乾燥するものである。この時、充電器３側に電気かみそり１の刃部２の温度を検出する温度センサー５を設けておき、刃部２の温度が所定値以上になれば発振回路３０を停止させて刃部２の温度が高くなり過ぎないようにしておくことも好ましい。
【００１１】
図２に示すように、充電器３のハウジングの上面に電気かみそり１の下端部が嵌まる凹部３４を設けておくならば、二次電池１０の充電のための電力伝達にあたって一次側コイル３１と二次側コイル１２との位置関係を所定の状態に保つことができるために、効率のよい電力伝達を行うことができる。
また図３に示すように、上記凹部３４をコア３２の両端間に形成して、凹部３４に電気かみそり１の下端部をはめ込んだ時にコア３２の両端間に二次側コイル１２が位置するようにしておくと、さらに効率のよい電力伝達を行うことができる。
【００１２】
なお、図２及び図３に示す例においては、電気かみそり１を上下逆において刃部２を乾燥させる時、凹部３４に電気かみそり１が嵌まり込むことがないようにしているが、凹部３４または凹部３４に重複する形で設けた他の凹部（図示せず）に電気かみそり１の刃部２が嵌まり込むようにしてもよい。
図４に他の実施の形態を示す。電気かみそり１がその不使用時に刃部２の保護のための装着される保護キャップ４を備えているものにおいて、保護キャップ４を刃部２に対面する内面側が金属磁性体４０、外面側が非磁性体４１で形成されたものとし、図４(b)に示すように充電器３上に上下逆さまにおいた時には一次側コイル３１が発する磁束の通過で保護キャップ４の金属磁性体４０が渦電流による発熱を行って、対面する刃部２の乾燥を促す。なお、保護キャップ４を電気かみそり１に取り付けておくための係合部４３は、合成樹脂である非磁性体４１の部分に設けている。また金属磁性体４０の表面は鏡面仕上げとし、髭剃りに際しての鏡として利用することができるようにしてある。
【００１３】
図５に別の実施の形態の例を示す。充電の際の一次側コイル３１を乾燥促進のための発熱用にも用いる点や、保護キャップ４において発熱させる点は上記のものと同じであるが、ここでは保護キャップ４に発熱体４４と、この発熱体４４に電力を供給するための専用の二次側コイル４２とを設けている。発熱体４４としてはニクロム線ような抵抗発熱体のほか、図６に示すようにペルチェ素子を用いてもよい。
【００１４】
内蔵二次電池１０の充電のために電気かみそり１を充電器３上に置いた時には、充電器３の一次側コイル３１と保護キャップ４内の二次側コイル４２とは離れているために、二次側コイル４２に電力が伝達されることはないが、上下逆さまに充電器３上に置いた時には、保護キャップ４内の二次側コイル４２に電流が流れて発熱体４４に発熱させるために、刃部２の乾燥を行うことができる。
【００１５】
図６中の７は保護キャップ４に設けた消臭剤乃至抗菌剤であり、昇華性のものを用いている。発熱体４４の熱で刃部２の乾燥を行う時、昇華性の消臭剤乃至抗菌剤による消臭乃至抗菌を同時に行うことができる。
【００１６】
充電器３の一次側コイル３１は、図７に示すように電気かみそり１の下端側面に配した二次側コイル１２と対向する図示の位置に配してもよい。この場合、上下逆さまに置いた場合が充電、正立状態で置いた場合が刃部２の乾燥となる。なお、図７で示した保護キャップ４は全金属製の磁性体で形成されており、渦電流による発熱で刃部２の乾燥を促す。
【００１７】
上記の各例においては、一次側コイル及び二次側コイルにコアを備えたものを示したが、コアの無いものであってもよい。
【００１８】
【発明の効果】
以上のように本発明は、充電器側の一次側コイルが発する電磁力を受けて刃部の乾燥用の熱を発する発熱部を設けたものであり、充電器から供給される電磁力を利用して刃部の乾燥を行うために、刃部の水洗い後の乾燥時間を短縮することができるものであり、殊に充電器側の充電用一次側コイルの電磁力を受けて発熱部が発熱するようにしているために、発熱部を発熱させるために別途電源供給部を充電器側に設ける必要がなくて、充電器側のコストを下げることができるとともに電磁誘導結合で充電用の電源供給を行うことで防水対策を容易とした点を損なうことがないものであり、更に充電器へのセットを上下入れ替えることで充電と発熱乾燥とを切り換えることから、現在どの状態にあるのかの識別が容易となる。
【００１９】
上記発熱部に刃部における金属製外刃そのものを使用した時には、新たな部材を必要とすることなく熱乾燥を行うことができる。また、刃部の保護用であって着脱自在となっている保護キャップに発熱部を設けた時には、刃部を傷めるおそれのない状態で刃部の乾燥を行うことができる。
そして保護キャップを用いる場合、発熱部として第２の二次側コイルと発熱体とからなるものを用いると、刃部の加熱を効率よく行うことができる。
【００２０】
保護キャップは刃部に対面する内面側が上記一次側コイルで発する磁束の通過で発熱する金属磁性体で形成され、外面側が非磁性体で形成されているものであってもよい。この場合、二次側コイルや発熱体を保護キャップに設ける必要がなく、コストダウンを図ることができる。また、非磁性体である保護キャップの外面が熱くならないために、取り扱いの点で好ましい。
【図面の簡単な説明】
【図１】本発明の実施の形態の一例を示すもので、(a)は充電時の概略断面図、(b)は発熱乾燥時の概略断面図である。
【図２】同上の他例を示すもので、(a)は充電時の概略断面図、(b)は発熱乾燥時の概略断面図である。
【図３】同上の更に他例を示すもので、(a)は充電時の概略断面図、(b)は発熱乾燥時の概略断面図である。
【図４】他の実施の形態の一例を示すもので、(a)は充電時の概略断面図、(b)は発熱乾燥時の概略断面図である。
【図５】同上の他例の充電時の概略断面図である。
【図６】同上の発熱体の他例を示す斜視図である。
【図７】同上の更に他例を示すもので、(a)は充電時の概略断面図、(b)は発熱乾燥時の概略断面図である。
【符号の説明】
１  電気かみそり
２  刃部
３  充電器
１２  二次側コイル
【図１】
0003814888.tif 000002
【図２】
0003814888.tif 000003
【図３】
0003814888.tif 000004
【図４】
0003814888.tif 000005
【図５】
0003814888.tif 000006
【図６】
0003814888.tif 000007
【図７】
0003814888.tif 000008